(57)【要約】【課題】個性的で独創的な文字や絵を容易に表現することのできる、これまでに存在しない筆、およびその製造方法を提供する。【解決手段】  竹の子の皮４を使用して作った筆であって、竹の子の皮４を、その繊維４ａの方向を軸方向として堅く巻回して棒状片５を形成し、その棒状片５の一方端部の繊維４ａを毛筆状にばらして筆先部１とし、筆先部１を除く部分である軸部２の一部または全部に、紐材６を巻付けて把持部３とする。また、棒状片５の他方端部に、輪状の吊下げ部７を取付ける。さらに、紐材６または吊下げ部７を藤のひごで構成する。【選択図】    図１
2005144817.tif 000002
【特許請求の範囲】
【請求項１】
竹の子の皮を使用して作った筆であって、
前記竹の子の皮を、その繊維の方向を軸方向として堅く巻回して棒状片を形成し、その棒状片の一方端部の繊維を毛筆状にばらして筆先部とし、
前記筆先部を除く、前記棒状片の軸部の一部または全部に、紐材を巻付けて把持部としたことを特徴とする竹の子皮筆。
【請求項２】
前記棒状片は、前記竹の子の皮をまるごと一枚分使用して形成されたものであることを特徴とする請求項１に記載の竹の子皮筆。
【請求項３】
前記棒状片の他方端部に、輪状の吊下げ部を取付けてなることを特徴とする請求項１または２に記載の竹の子皮筆。
【請求項４】
前記紐材または／および前記吊下げ部が藤のひごであることを特徴とする請求項１乃至３のうちいずれか一つに記載の竹の子皮筆。
【請求項５】
竹の子の皮を使用した筆の製造方法であって、
前記竹の子の皮を、その繊維の方向を軸方向として、接着剤を介して堅く巻回して棒状片を形成する巻回工程と、
前記棒状片の一方端部を水で軟らかくする軟化工程と、
軟らかくした前記棒状片の一方端部を木槌で軽く叩いて繊維状とする叩き工程と、
繊維状となった前記棒状片の一方端部をワイヤブラシで削いで、竹の子の繊維以外の物質を除去して筆先部とする削ぎ工程と、
前記筆先部を除く、前記棒状片の軸部の一部または全部に、紐材を接着剤を介して巻付けて把持部とする巻付け工程とを備えることを特徴とする竹の子皮筆の製造方法。
【発明の詳細な説明】
【技術分野】
【０００１】
本発明は、竹の子の皮を使用して作った筆、およびその製造方法に関するものである。
【背景技術】
【０００２】
従来、文字や絵を描くための毛筆は、動物の毛で作られた筆先部分を、竹筒などの軸に取付けて構成している。この毛筆は、筆先部分が動物の毛で作られているので柔らかく、墨や絵の具に馴染み易いので、まとまりの良い文字や絵を描くことができるといった利点がある。
【発明の開示】
【発明が解決しようとする課題】
【０００３】
しかしながら、文字や絵を描く場合には、一般に、まとまりのある作品と共に、より個性的で独創的な作品を作りたいという欲求がある。
従来の毛筆ではそれが困難であった。
【０００４】
そこで、本発明の目的とするところは、個性的で独創的な文字や絵を容易に表現することのできる、これまでに存在しない筆、およびその製造方法を提供することにある。
【課題を解決するための手段】
【０００５】
上記の目的を達成するために、本発明の請求項１に記載の発明に係る竹の子皮筆は、竹の子の皮（４）を使用して作った筆であって、前記竹の子の皮（４）を、その繊維（４ａ）の方向を軸方向として堅く巻回して棒状片（５）を形成し、その棒状片（５）の一方端部の繊維（４ａ）を毛筆状にばらして筆先部（１）とし、前記筆先部（１）を除く、前記棒状片（５）の軸部（２）の一部または全部に、紐材（６）を巻付けて把持部（３）としたことを特徴とする。
【０００６】
また、請求項２に記載の発明に係る竹の子皮筆は、前記棒状片（５）は、前記竹の子の皮（４）をまるごと一枚分使用して形成されたものであることを特徴とする
【０００７】
さらに、請求項３に記載の発明に係る竹の子皮筆は、前記棒状片（５）の他方端部に、輪状の吊下げ部（７）を取付けてなることを特徴とする。
【０００８】
さらにまた、請求項４に記載の発明に係る竹の子皮筆は、前記紐材（６）または／および吊下げ部（７）が藤のひごであることを特徴とする。
【０００９】
本発明の請求項５に記載の発明に係る竹の子皮筆の製造方法は、竹の子の皮（４）を使用した筆の製造方法であって、前記竹の子の皮（４）を、その繊維（４ａ）の方向を軸方向として、接着剤（Ｃ）を介して堅く巻回して棒状片（５）を形成する巻回工程と、前記棒状片（５）の一方端部を水（Ｗ）で軟らかくする軟化工程と、軟らかくした前記棒状片（５）の一方端部を木槌（Ｈ）で軽く叩いて繊維状とする叩き工程と、繊維状となった前記棒状片（５）の一方端部をワイヤブラシ（Ｂ）で削いで、竹の子の繊維（４ａ）以外の物質を除去して筆先部（１）とする削ぎ工程と、前記筆先部（１）を除く、前記棒状片（５）の軸部（２）の一部または全部に、紐材（６）を接着剤（Ｃ）を介して巻付けて把持部（３）とする巻付け工程とを備えることを特徴とする。
【００１０】
なお、カッコ内の記号は、図面および後述する発明を実施するための最良の形態に記載された対応要素または対応事項を示す。
【発明の効果】
【００１１】
本発明の請求項１に記載の発明に係る竹の子皮筆によれば、竹の子の皮で作り、その筆先部を皮の繊維を毛筆状にばらして形成しているので、従来の動物の毛を筆先部分とする毛筆と比較して、個性的で独創的な文字や絵を描くことができる。
すなわち、この皮の繊維で形成した筆先部は、動物の毛より太く、また腰が強いので力を入れて書くことができ、従来の毛筆では表現できない面白い作品を創作することができる。
【００１２】
また、この竹の子皮筆は、従来の毛筆と比べて、いわゆる筆もち（耐久性）が良いといった特徴を備える。さらに、竹の子の皮は動物の毛より豊富に存在するので製造が容易でコストが低廉である。またさらに、竹の子の皮といった自然素材を使用するので廃棄しても環境を汚染しないといった利点を有する。
【００１３】
特に請求項２に記載の発明のように、竹の子の皮をまるごと１枚使用するものは、加工が一層容易である。
【００１４】
さらに、請求項３に記載の発明によれば、請求項１または２に記載の発明の作用効果に加えて、棒状片の他方端部に輪状の吊下げ部を取り付けているので、非使用時に壁などに吊り下げておくことができ、便利である。
【００１５】
またさらに、請求項４に記載の発明によれば、請求項１乃至３に記載の発明の作用効果に加えて、紐材または吊下げ部、あるいは紐材と吊下げ部の両方が藤のひごといった自然素材であるので、竹の子の皮との調和が取れ、見栄えに優れる。
また、使用する人の手にも優しいので使い勝手に優れる。さらに、竹の子の皮を含めた全部が自然素材であるので、廃棄後に環境を汚染することもない。
【００１６】
本発明の請求項５に記載の発明に係る竹の子皮筆の製造方法によれば、巻回工程、軟化工程、叩き工程、削ぎ工程および巻付け工程といったいずれも比較的容易な工程を施して製造するので、これまで存在しなかった竹の子皮筆を容易かつ低コストで製造することができる。
【発明を実施するための最良の形態】
【００１７】
図１を参照して、本発明の実施形態に係る竹の子皮筆について説明する。図１は、竹の子皮筆を示す正面図である。
本発明の実施形態に係る竹の子皮筆は、竹の子の皮４を一枚まるごと使用して作ったものであり、その竹の子の皮４を、繊維４ａの方向が筆の軸方向となるように堅く巻回して棒状片５を形成し、その棒状片５の一方端部の繊維４ａを毛筆状にばらして筆先部１としている。
また、筆先部１を除く部分である軸部２の大部分に、細い藤のひごで形成した紐材６を巻付けて把持部３としている。さらに、棒状片５の他方端部に、細い藤のひごで形成した輪状の吊下げ部７を取付けている。なお、新しい竹の子の皮４を使用すると、腰と粘りのある強靱な筆を作ることができる。
【００１８】
この竹の子皮筆は、図２乃至図７に示すように、巻回工程、軟化工程、叩き工程、削ぎ工程、巻付け工程および取付け工程を施すことによって容易に製造することができる。
【００１９】
巻回工程（図２参照）では、竹の子の皮４一枚を、その繊維４ａの方向が筆の軸方向となるように堅く巻回して棒状片５とする。この際、竹の子の皮４には接着剤Ｃ（本実施形態では木工用ボンド）を塗布し、堅く巻回した棒状片５が緩まないようにする。
続く軟化工程（図３参照）では、棒状片５の一方端部を水Ｗに浸けて軟らかくする。
次の叩き工程（図４参照）では、軟らかくした棒状片５の一方端部を木槌Ｈで軽く叩いて繊維状にばらす。
【００２０】
次に、削ぎ工程（図５参照）で、繊維状となった棒状片５の一方端部をワイヤブラシＢで削いで、竹の子の繊維４ａ以外のゴミなどの不要な物質を除去して毛筆状の筆先部１とする。
そして、巻付け工程（図６参照）で、筆先部１を除く部分である軸部２の大部分に、細い藤のひごで形成した紐材６を接着剤Ｃ（木工用ボンド）を介して巻付けて把持部３とする。紐材６を巻付けることによって、軸部２を剛性の高い把持部３とすることができる。  なお、本実施形態では、巻付け工程の後に、棒状片５の他方端部に、輪状に形成した吊下げ部７を取付ける取付け工程（図７参照）を加えている。この取付け工程は、巻付け工程に先だって行うこともできる。
【００２１】
こうして製造した竹の子皮筆は、竹の子の皮４で作り、その筆先部１を皮４の繊維４ａを毛筆状にばらして形成しているので、従来の動物の毛を筆先部分とする毛筆と比較して、個性的な文字や絵を描くことができる。また、この竹の子皮筆は、従来の毛筆と比べて、いわゆる筆もちが良く、さらに、動物の毛より豊富に存在するので製造が容易でコストが低廉である。またさらに、竹の子の皮４といった自然素材を使用しているので廃棄しても環境を汚染しないといった利点を有する。
【００２２】
また、軸部２の開放端部に輪状の吊下げ部７を取り付けているので、非使用時に壁などに吊り下げておくことができ、使用性に優れる。さらに、紐材６または／および吊下げ部７が藤のひごといった自然素材であるので、竹の子の皮４との調和が取れ、見栄えに優れる。また、使用する人の手にも優しいので使い勝手に優れる。さらに、竹の子の皮４を含めた全部が自然素材であるので、廃棄後に環境を汚染することもない。
【００２３】
なお、上記実施形態では紐材６および吊下げ部７として藤のひごを使用しているが、本発明はこれに限定されるものではなく、他の植物（例えば、竹）のひごや弦を使用しても良いし、糸や金属線あるいは樹脂材を使用することもできる。また、上記実施形態では竹の子の皮を一枚まるごと使用したが、複数枚を使用しても、あるいは、一枚を部分的に使用してもよい。
【図面の簡単な説明】
【００２４】
【図１】本発明の実施形態に係る竹の子皮筆を示す正面図である。
【図２】本発明の実施形態に係る竹の子皮筆の製造方法における巻回工程を示すもので、（ａ）は平面図、（ｂ）は拡大側面図である。
【図３】本発明の実施形態に係る竹の子皮筆の製造方法における軟化工程を示す正面図である。
【図４】本発明の実施形態に係る竹の子皮筆の製造方法における叩き工程を示す正面図である。
【図５】本発明の実施形態に係る竹の子皮筆の製造方法における削ぎ工程を示す正面図である。
【図６】本発明の実施形態に係る竹の子皮筆の製造方法における巻付け工程を示す正面図である。
【図７】本発明の実施形態に係る竹の子皮筆の製造方法における取付け工程を示す正面図である。
【符号の説明】
【００２５】
１    筆先部
２    軸部
３    把持部
４    竹の子の皮
４ａ  繊維
５    棒状片
６    紐材
７    吊下げ部
Ｃ    接着剤
Ｗ    水
Ｈ    木槌
Ｂ    ワイヤブラシ
【図１】
2005144817.tif 000003
【図２】
2005144817.tif 000004
【図３】
2005144817.tif 000005
【図４】
2005144817.tif 000006
【図５】
2005144817.tif 000007
【図６】
2005144817.tif 000008
【図７】
2005144817.tif 000009